(57)【要約】    【課題】強風に煽られても釣人の身体や釣具に絡みつくことのない釣用タオルの提供。    【解決手段】この釣用タオル１０は、タオル本体１１と取付帯１４とを備える。タオル本体１１は、帯状に形成されたタオル地が中央部１５で屈曲されており、釣用タオル１０は、二枚のタオルが重ねられた状態となっている。取付帯１４は、タオル本体１１の中央部１５を跨ぐように配置され、取付帯１４の両端部は、タオル本体１１に連結されている。取付帯１４の他端部２５は、タオル本体１１に着脱自在に取り付けられている。タオル本体１１の端縁部１７、１８同士は、面ファスナー１２によって接着されている。タオル本体１１の側縁部１９、２０同士は、面ファスナー１３によって接着されている。【選択図】図１
2005261329.tif 000002
【特許請求の範囲】
【請求項１】
帯状に形成されたタオル地が中央部で屈曲されることによって二枚重ね状態に形成されたタオル本体と、
上記中央部を跨ぐように両端部が上記タオル本体に連結された取付帯と、
上記タオル本体の対向する端縁部同士を着脱自在に連結する端縁連結部材とを有する釣用タオル。  
【請求項２】
上記タオル本体の対向する側縁部同士を着脱自在に連結する側縁連結部材をさらに備えている請求項１に記載の釣用タオル。
【請求項３】
上記端縁連結部材及び上記側縁連結部材は、面ファスナー又はスナップからなる請求項１又は２に記載の釣用タオル。
【発明の詳細な説明】
【技術分野】
【０００１】
本発明は、釣人が実釣時に使用する釣用タオルに関するものである。
【背景技術】
【０００２】
例えば磯釣りにおいては、釣人は、指でオキアミ等の餌を摘んで釣針に付ける作業や、魚が釣れた場合には、その魚を把持して釣針を外す作業を頻繁に行う。したがって、釣人の手は、常時濡れたり汚れたりするが、そのままでは釣竿を持つ手が滑ってしまったり、釣用リールに汚れが付着したりする。そのため釣人は、従来から釣用タオルを携帯し、実釣中に手が濡れたり汚れたりした場合には、直ちに釣用タオルで手をぬぐい、常に手を乾燥させ、清潔にしようと努める（例えば、非特許文献１参照）。
【０００３】
【特許文献１】株式会社シマノ  2003 Fishing Tackle Catalogue（第１８８頁）
【発明の開示】
【発明が解決しようとする課題】
【０００４】
図４は、従来の釣用タオルの使用状態を示す図である。同図が示すように、実釣時には釣人１は、ライフジャケット２を着用する。釣用タオル３は、タオル本体４と、取付ベルト５とを有する。取付ベルト５の両端部は、タオル本体４の略中央部に連結されており、タオル本体４は、同図が示すように中央部で折り畳まれた状態となっている。取付ベルト５の一方の端部６は、ドットボタン等を介してタオル本体４に着脱自在に取り付けられている。釣人１は、この取付ベルト５をライフジャケット２の調整ベルト７に掛け回し、上記一方の端部６をタオル本体４に取り付ける。これにより、釣用タオル３は、タオル本体４が二枚重ねにされた状態でライフジャケット２に吊り下げられる。
【０００５】
ところで、釣り場では、通常は風が吹いており、強風が吹くことも珍しいことではない。強風によって釣用タオル３が煽られると、タオル本体４が釣人の腕や釣人が把持している釣竿に絡んだりすることがあり、そのような場合、釣人は、快適な釣りを行うことができない。
【０００６】
そこで、本発明の目的は、強風に煽られても釣人の身体や釣具に絡みつくことのない釣用タオルを提供することである。
【課題を解決するための手段】
【０００７】
(1) 上記目的が達成されるため、本発明に係る釣用タオルは、帯状に形成されたタオル地が中央部で屈曲されることによって二枚重ね状態に形成されたタオル本体と、上記中央部を跨ぐように両端部が上記タオル本体に連結された取付帯と、上記タオル本体の対向する端縁部同士を着脱自在に連結する端縁連結部材とを有することを特徴とするものである。
【０００８】
この構成によれば、釣人は、例えばライフジャケットの所定部（調整ベルト等）に取付帯を係合させることができ、これにより、釣用タオルは、常時ライフジャケット等に吊り下げられる。タオル本体は、タオル地が二枚重ねされて構成されるので、吸水性に優れると共に、当該タオル本体から水分がライフジャケットや釣人が着用しているウェアに浸透することはない。タオル本体は、その端縁部同士（すなわち、吊り下げられた状態での下縁部同士）が端縁連結部材によって連結されているから、実釣中に風が吹いた場合であってもタオル本体が釣人の腕等に絡みつくことはない。しかも、釣人は所望時には、連結された上記端縁部同士を離反させることができるので、タオル本体を２枚のタオルとして使用することもできる。
【０００９】
(2) 上記タオル本体の対向する側縁部同士を着脱自在に連結する側縁連結部材が設けられていてもよい。この構成では、タオル本体の側縁部同士が連結されるので、タオル本体が袋状に形成される。これにより、実釣中に強風が吹いた場合であってもタオル本体が釣人の腕等に絡みつくことはない。また、タオル本体が袋状に形成されることから、釣人の手が挿入される手袋として機能する。したがって、釣人は、タオル本体の内部に手を入れることによって、釣れた魚を容易に把持することができるという利点がある。しかも、釣人は、所望時に上記側縁部同士を離反させることができるので、タオル本体を２枚のタオルとして使用することもできる。
【００１０】
(3) 上記端縁連結部材及び上記側縁連結部材は、面ファスナー又はスナップから構成され得る。
【発明の効果】
【００１１】
本発明によれば、釣用タオルは、タオル本体の少なくとも端縁部同士が連結されるので、釣り場で風が吹いた場合であっても釣用タオルが腕や釣具に絡みつくことがなく、釣人は、快適な釣りを行うことができる。しかも、タオル本体の端縁部同士の連結が解除されることによって、釣人は、釣用タオルを２枚のタオルとして使用することもできるので、実釣中の状況に応じてタオル本体を使い分けることもでき、一層快適な釣りが行える。
【発明を実施するための最良の形態】
【００１２】
以下、適宜図面が参照されつつ、好ましい実施形態に基づいて本発明が詳細に説明される。
【００１３】
図１は、本発明の一実施形態に係る釣用タオルの斜視図である。この釣用タオル１０は、タオル本体１１と、タオル本体１１に設けられた面ファスナー１２（端縁連結部材）及び面ファスナー１３（側縁連結部材）と、取付帯１４とを備えている。タオル本体１１は、その中央部１５で屈曲され、垂下されている。
【００１４】
図２は、展開された釣用タオル１０の斜視図であり、図３は、この釣用タオル１０を裏面側からみた斜視図である。
【００１５】
タオル本体１１は、帯状に形成されたタオル地１６からなる。そして、このタオル地１６の中央部１５が折り曲げられられている。このため、タオル本体１１は、一対のタオル地１６ａ、１６ｂが対向配置された状態となっている。
【００１６】
一方のタオル地１６ａの端縁部１７と他方のタオル地１６ｂの端縁部１８との間に上記面ファスナー１２が設けられている。具体的には、上記端縁部１７に沿ってフックテープが取り付けられ、上記端縁部１８にループテープが取り付けられている。もっとも、これらフックテープ及びループテープが逆に取り付けられていてもよい。
【００１７】
また、一方のタオル地１６ａの側縁部１９と他方のタオル地１６ｂの端縁部２０との間に上記面ファスナー１３が設けられている。具体的には、上記端縁部１９に沿ってフックテープが取り付けられ、上記端縁部２０にループテープが取り付けられている。もっとも、これらフックテープ及びループテープが逆に取り付けられていてもよい。
【００１８】
さらに、本実施形態では、タオル本体１１の中央部にスナップ２１が設けられている（図１参照）。具体的には、図２及び図３が示すように、上記タオル地１６ａにスタッド部材２２が取り付けられ、上記タオル地１６ｂにソケット部材２３が取り付けられている。両者は、互いに嵌合し、離反することができる。
【００１９】
取付帯１４は、例えばポリプロピレンやナイロン等からなり、細長の帯状に形成されている。図２が示すように、取付帯１４の一端部２４は上記タオル地１６ｂに縫い付けられている。取付帯１４の他端部２５は、図１が示すように上記タオル地１６ｂに着脱自在に取り付けられている。取付帯１４の他端部２５と上記タオル地１６ｂとの間にはスナップ２６が設けられている。具体的には、図２が示すように、取付帯１４の他端部２５にソケット部材２７が取り付けられ、上記タオル地１６ｂにスタッド部材２８が取り付けられている。
【００２０】
したがって、釣人は、取付帯１４の他端部２５を例えばライフジャケットの所定部に挿通し、上記ソケット部材２７を上記スタッド部材２８に嵌合させることによって、取付帯１４が環状の形成され、ライフジャケットに引っ掛けられる。これにより、釣用タオル１０は、ライフジャケットに吊り下げられた状態となる。
【００２１】
この釣用タオル１０では、 タオル本体１１は、上記タオル地１６ａ、１６ｂが重ねられた状態となるので、吸水性に優れる。したがって、釣人は、実釣中に常に手を乾燥させ、清潔を保つことができる。また、上記タオル地１６ａ、１６ｂが重ねられることにより、タオル本体１１から水分がライフジャケットや釣人が着用しているウェアに浸透することはない。
【００２２】
タオル本体１１は、その端縁部１７、１８同士が面ファスナー１２によって連結されるから、実釣中に風が吹いた場合であっても、タオル本体１１が釣人の腕等に絡みつくことはない。しかも、上記端縁部１７、１８は、上記面ファスナー１２によって連結されていることから、釣人は、連結された上記端縁部１７、１８同士を自由に離反させることができる。したがって、釣人は、所望時にタオル本体１１を２枚のタオルとして使用することもできる。
【００２３】
加えて、本実施形態では、面ファスナー１３によって、タオル本体１１の側縁部１９、２０同士が連結されているので、タオル本体１１が袋状に形成される。これにより、実釣中に強風が吹いた場合であってもタオル本体１１が釣人の腕等に絡みつくことはない。また、タオル本体１１が袋状に形成されることから、釣人の手が挿入される手袋として機能する。したがって、釣人は、タオル本体１１の内部に手を入れることによって、釣れた魚を容易に把持することができる。もっとも、上記側縁部１９、２０は、上記面ファスナー１２３によって連結されていることから、釣人は所望時に両者の連結を解除することができ、その結果、タオル本体１１を２枚のタオルとして使用することもできる。
【００２４】
なお、本実施形態では、図１が示すように、タオル本体１１には上記スナップ２１が設けられている。このスナップ２１によって、上記タオル地１６ａ、１６ｂの中央部が連結されることになり、これにより、一対のタオル地１６ａ、１６ｂが風に靡くことが確実に防止されるという利点がある。
【００２５】
本実施形態では、上記タオル地１６ａ、１６ｂは、面ファスナー１２、１３によって連結されているが、これに代えてスナップが採用されていてもよい。その場合、タオル地１６ａにソケット部材が取り付けられ、タオル地１６ｂにスタッド部材が取り付けられる。もっとも、ソケット部材とスタッドブ材とが逆に取り付けられていてもよい。このように、上記タオル地１６ａ、１６ｂを連結する部材として面ファスナー１２、１３やスナップが採用されることにより、上記タオル地１６ａ、１６ｂを連結する部材のコストが下がり、その結果、釣用タオル１０の製造コストの上昇が抑制されるという利点がある。
【産業上の利用可能性】
【００２６】
本発明は、釣りの際に使用され、ライフジャケット等に係止される釣用タオルに適用され得る。
【図面の簡単な説明】
【００２７】
【図１】図１は、本発明の一実施形態に係る釣用タオルの斜視図である。
【図２】図２は、本発明の一実施形態に係る釣用タオルが展開された状態の斜視図である。
【図３】図３は、本発明の一実施形態に係る釣用タオルが展開された状態の斜視図である。
【図４】図４は、従来の釣用タオルの使用状態を示す図である。
【符号の説明】
【００２８】
１０・・・釣用タオル
１１・・・タオル本体
１２・・・面ファスナー
１３・・・面ファスナー
１４・・・取付帯
１５・・・中央部
１６ａ・・・タオル地
１６ｂ・・・タオル地
１７・・・端縁部
１８・・・端縁部
１９・・・側縁部
２０・・・側縁部
２１・・・スナップ
２２・・・スタッド部材
２３・・・ソケット部材
２４・・・取付帯の一端部
２５・・・取付帯の他端部
２６・・・スナップ
２７・・・ソケット部材
２８・・・スタッド部材
【図１】
2005261329.tif 000003
【図２】
2005261329.tif 000004
【図３】
2005261329.tif 000005
【図４】
2005261329.tif 000006